(57)【要約】【課題】  重複可能性者を重複可能性の度合いにより段階的に分類して表示すること。【解決手段】  複数の登録者情報記憶部（データベース）201及び202に記憶される登録者情報の中から予め定めた登録者識別情報を取得する取得部110と、取得した識別情報を記憶する識別情報記憶部160と、識別情報を示す表記基準が統一されていない情報を予め定めた表記基準に変換する表記手法変換部120と、識別情報のうち少なくとも一種類の識別情報が一致する登録者を重複者情報として検出する検出部130と、この重複者情報を記憶する重複者可能性1時記憶部161と、識別情報を指標として、重複者情報の該識別情報の一致もしくは不一致に基づいて重複可能性の高低の度合いに応じて分類する重複可能性情報の分類処理部140と、該記憶した情報に基づいて任意の分類群を出力表示する出力表示部150とを備えたシステム。【選択図】  図１
2007206787.tif 000002
【特許請求の範囲】
【請求項１】
２種以上の登録者情報データベースに記憶されている個人番号を含む登録者情報から重複可能性者を検出する検出表示装置を備える重複可能性者検出表示システムであって、
該検出表示装置が、
２種以上の登録者情報データベースに記憶した登録者情報の中から登録者の識別情報を取得する取得部と、
該取得部により取得した識別情報を記憶する識別情報記憶部と、
該識別情報記憶部に記憶した識別情報のうち、その識別情報を示す表記基準が統一されていない情報を、予め定めた表記基準に変換する表記手法変換部と、
該表記手法変換部により変換した識別情報のうち少なくとも一種類の識別情報が一致する登録者を重複者情報として検出する重複者情報検出部と、
該重複者情報検出部により検出した重複者情報を記憶する重複者情報記憶部と、
該重複者情報記憶部に記憶した重複者情報を、該重複者情報に含まれる識別情報の一致もしくは不一致に基づいて重複可能性の高低の度合いに応じて分類する分類処理部と、
該分類処理部により分類した重複可能性の高低の度合いに応じた重複者情報を記憶する複数の重複可能性者記憶部と、
該重複可能性者記憶部に記憶した情報に基づき、重複可能性の程度に応じた任意の分類の重複者情報を出力表示する出力表示部と、
を備えることを特徴とする重複可能性者検出表示システム。
【請求項２】
前記重複可能性者記憶部に記憶した重複者情報から選択された重複確定者の重複者情報を入力とする入力部と、該入力した重複確定者の個人番号を１対１に対応させる同定結果を記憶する同定結果記憶部と、該同定結果記憶部に記憶した同定結果を基に重複確定者の重複者情報を同定する統合処理部とを有する重複結果反映部を備えることを特徴とする請求項１記載の重複可能性者検出表示システム。
【請求項３】
２種以上の登録者情報データベースに格納されている個人情報を含む登録者情報を取得部により取得し、この取得した登録者情報の識別情報の表記を表記手法変換部により変換統一し、この変換統一した識別情報を基に重複者を重複者情報検出部により検出し、分類処理部が重複可能性の高低の度合いに応じた複数の重複可能性者記憶部に記憶し、出力表示部により表示する出力表示部とを備える検出表示装置を備える重複可能性者検出表示システムの検出表示方法であって、
前記取得部が、２種以上の登録者情報データベースに記憶した登録者情報の中から予め定めた登録者識別情報を取得するステップと、
前記識別情報記憶部が、該取得した識別情報を記憶するステップと、
前記表記手法変換部が、該識別情報記憶部に記憶した識別情報のうち、その識別情報を示す表記基準が統一されていない情報を予め定めた表記基準に変換するステップと、
前記重複者情報検出部が、該表記手法変換部により変換した識別情報のうち少なくとも一種類の識別情報が一致する登録者を重複者情報として検出するステップと、
前記重複者情報記憶部が、該重複者情報検出部により検出した重複者情報を記憶するステップと、
前記分類処理部が、該重複者情報記憶部に記憶した重複者情報を、該重複者情報に含まれる識別情報の一致もしくは不一致に基づいて重複可能性の高低の度合いに応じて分類するステップと、
前記出力表示部が、該分類処理部に記憶された情報に基づき重複可能性の程度に応じた任意の分類群を出力表示するステップと、
を含むことを特徴とする重複可能性者の検出表示方法。
【請求項４】
重複者情報を入力とする入力部と、該重複確定者の同定結果を記憶する同定結果記憶部と、該同定結果を基に重複者情報を同定する統合処理部とを有する重複結果反映部とから成る重複結果反映部を設けた重複可能性者検出表示システムの重複可能性者の検出表示方法であって、前記重複可能性者記憶部に記憶した重複者情報から選択された重複確定者の重複者情報を入力部により入力とするステップと、該入力した重複確定者の個人番号を１対１に対応させる同定結果を同定結果記憶部に記憶するステップと、該同定結果記憶部に記憶した同定結果を基に重複確定者の重複者情報を統合処理部により同定するステップと、該同定した重複者情報を重複結果反映部により登録者情報データベースに反映するステップとを含むことを特徴とする請求項３記載の重複可能性者の検出表示方法。
【請求項５】
２種以上の登録者情報データベースに格納されている個人情報を含む登録者情報を取得部により取得し、この取得した登録者情報の識別情報の表記を表記手法変換部により変換統一し、この変換統一した識別情報を基に重複者を重複者情報検出部により検出し、分類処理部が重複可能性の高低の度合いに応じた複数の重複可能性者記憶部に記憶し、出力表示部により表示する出力表示部とを備える検出表示装置を備える重複可能性者検出表示システムの検出表示プログラムであって、
前記取得部に、２種以上の登録者情報データベースに記憶した登録者情報の中から予め定めた登録者識別情報を取得する手順と、
前記識別情報記憶部に、該取得した識別情報を記憶する手順と、
前記表記手法変換部に、該識別情報記憶部に記憶した識別情報のうち、その識別情報を示す表記基準が統一されていない情報を予め定めた表記基準に変換する手順と、
前記重複者情報検出部に、該表記手法変換部により変換した識別情報のうち少なくとも一種類の識別情報が一致する登録者を重複者情報として検出する手順と、
前記重複者情報記憶部が、該重複者情報検出部により検出した重複者情報を記憶する手順と、
前記分類処理部に、該重複者情報記憶部に記憶した重複者情報を、該重複者情報に含まれる識別情報の一致もしくは不一致に基づいて重複可能性の高低の度合いに応じて分類する手順と、
出力表示部が、該分類処理部に記憶された情報に基づき重複可能性の程度に応じた任意の分類群を出力表示する手順と、
を実行させることを特徴とする重複可能性者の検出表示プログラム。
【請求項６】
重複者情報を入力とする入力部と、該重複確定者の同定結果を記憶する同定結果記憶部と、該同定結果を基に重複者情報を同定する統合処理部とを有する重複結果反映部とから成る重複結果反映部を設けた重複可能性者検出表示システムの重複可能性者の検出表示プログラムであって、
入力部に、前記重複可能性者記憶部に記憶した重複者情報から選択された重複確定者の重複者情報を入力する手順と、
同定結果記憶部に、該入力した重複確定者の個人番号を１対１に対応させる同定結果を記憶する手順と、
統合処理部に、該同定結果記憶部に記憶した同定結果を基に重複確定者の重複者情報を基に同定する手順と、
重複結果反映部に、該同定した重複者情報を登録者情報データベースに反映する手順とを実行することを特徴とする請求項５記載の重複可能性者の検出表示プログラム。
【発明の詳細な説明】
【技術分野】
【０００１】
本発明は、２以上のデータベースに重複して収録されている可能性のある登録者情報を検出し、重複が確定している登録者情報については、それらを統合した結果を前記データベースに追加し改変する重複可能性者の検出表示システム、同検出表示方法、及び同検出プログラムに関するものである。
【背景技術】
【０００２】
近年、国の政策により市町村間の合併が加速しているが、合併に伴い、合併前の各市町村が個別に保有していた住民票の情報などの登録者情報を収録しているデータベースを統合する必要がある。しかし、前記データベースには、現在その市町村に住所を有する者の情報のみならず、その市町村に住所は有していない者（例えば、転出者や他の市町村の住民で固定資産のみをその市町村に持っている者）の情報も含まれているため、例えばＡ市の登録者情報を収録しているデータベースとＢ町の登録者情報を収録しているデータベースとを統合するとき、Ａ市に固定資産を持つＢ町の住民の登録者情報が、統合されたデータベースにおいては、同一人物の情報でありながらＡ市の分とＢ町の分とで２つ作成される（重複登録される）おそれがある。
【０００３】
かかる重複登録を放置しておくと、税徴収における過誤や、各種通知書の多重発送等を発生させることになる。
【０００４】
そこで登録者情報の統合に際しては、統合されたデータベースにおいて、どの登録者情報とどの登録者情報とが同一人物の登録者情報であるかを特定し、同一人物の情報が重複登録されている場合には、その者に関する登録者情報を統合する「名寄せ」を行う必要がある。
【０００５】
従来から、登録者の氏名と生年月日、及び印鑑登録された印鑑の印影情報を用いて同一人物を特定する重複者検出技術が、下記特許文献に記載されている。
【特許文献１】特開２００５−１３５０６４号公報
【発明の開示】
【発明が解決しようとする課題】
【０００６】
各市町村は氏名等の登録者識別情報を含む登録者情報をそれぞれ独自の基準の表記にて保有しているため、統合すべき登録者情報同士の表記基準が異なる場合が多い。このため前記の従来技術において、氏名と生年月日を用いて登録者を識別する場合、同一人物にも関わらず、登録者識別情報の表記が異なるために前記識別情報が一致せず、重複可能性者として検出されないという不具合があった。
【０００７】
また、印鑑登録ができる人は１５歳以上の人だけであり、しかも１５歳以上の人であっても、すべての人が印鑑登録をするわけではない。このため、前記の従来技術において、印影情報を用いて登録者を識別する場合、前記印影情報があるのは１５歳以上の一部の人に限られるので、前述した従来の技術では、検出する対象者が限定されてしまうという不具合があった。
【０００８】
また、前記の従来技術は、重複可能性者を検出するだけの技術であり、前記重複可能性者が、重複登録が確定した重複確定者であるかどうかの判断を効率的に行うために、前記重複可能性者を特定の条件に従って分類する技術や、重複確定者について、重複している登録者情報を統合する技術はなかった。
【０００９】
また、上述した不具合は、自治体の合併等により生じることばかりでなく、企業の合併や事業統合等により、顧客名簿の統合作業においても生じることが想定される。
【００１０】
本発明は、一定の登録者識別情報を有する登録者情報を収録しているデータベースにおいて、前記識別情報の表記基準の違いに影響されずにすべての前記登録者情報の中から重複可能性者を正確に、かつ重複可能性の度合いにより段階的に分類して検出し、さらに登録者情報管理者の確認が得られた重複登録が確定した登録者（重複確定者）については重複している登録者情報を統合して、その結果を前記データベースに反映させる重複可能性者の検出表示装置、検出表示方法、及び検出表示プログラムを提供することを目的とする。
【課題を解決するための手段】
【００１１】
前記目的を達成するために本発明は、２種以上の登録者情報データベースに記憶されている個人番号を含む登録者情報から重複可能性者を検出する検出表示装置を備える重複可能性者検出表示システムにおいて、
該検出表示装置が、
２種以上の登録者情報データベースに記憶した登録者情報の中から登録者の識別情報を取得する取得部と、
該取得部により取得した識別情報を記憶する識別情報記憶部と、
該識別情報記憶部に記憶した識別情報のうち、その識別情報を示す表記基準が統一されていない情報を、予め定めた表記基準に変換する表記手法変換部と、
該表記手法変換部により変換した識別情報のうち少なくとも一種類の識別情報が一致する登録者を重複者情報として検出する重複者情報検出部と、
該重複者情報検出部により検出した重複者情報を記憶する重複者情報記憶部と、
該重複者情報記憶部に記憶した重複者情報を、該重複者情報に含まれる識別情報の一致もしくは不一致に基づいて重複可能性の高低の度合いに応じて分類する分類処理部と、
該分類処理部により分類した重複可能性の高低の度合いに応じた重複者情報を記憶する複数の重複可能性者記憶部と、
該重複可能性者記憶部に記憶した情報に基づき、重複可能性の程度に応じた任意の分類の重複者情報を出力表示する出力表示部と、
を備えることを第１の特徴とし、
該重複可能性者検出表示システムにおいて、
前記重複可能性者記憶部に記憶した重複者情報から選択された重複確定者の重複者情報を入力とする入力部と、該入力した重複確定者の個人番号を１対１に対応させる同定結果を記憶する同定結果記憶部と、該同定結果記憶部に記憶した同定結果を基に重複確定者の重複者情報を同定する統合処理部とを有する重複結果反映部を備えることを第２の特徴とする。
【００１２】
また本発明は、２種以上の登録者情報データベースに格納されている個人情報を含む登録者情報を取得部により取得し、この取得した登録者情報の識別情報の表記を表記手法変換部により変換統一し、この変換統一した識別情報を基に重複者を重複者情報検出部により検出し、分類処理部が重複可能性の高低の度合いに応じた複数の重複可能性者記憶部に記憶し、出力表示部により表示する出力表示部とを備える検出表示装置を備える重複可能性者検出表示システムの検出表示方法において、
前記取得部が、２種以上の登録者情報データベースに記憶した登録者情報の中から予め定めた登録者識別情報を取得するステップと、
前記識別情報記憶部が、該取得した識別情報を記憶するステップと、
前記表記手法変換部が、該識別情報記憶部に記憶した識別情報のうち、その識別情報を示す表記基準が統一されていない情報を予め定めた表記基準に変換するステップと、
前記重複者情報検出部が、該表記手法変換部により変換した識別情報のうち少なくとも一種類の識別情報が一致する登録者を重複者情報として検出するステップと、
前記重複者情報記憶部が、該重複者情報検出部により検出した重複者情報を記憶するステップと、
前記分類処理部が、該重複者情報記憶部に記憶した重複者情報を、該重複者情報に含まれる識別情報の一致もしくは不一致に基づいて重複可能性の高低の度合いに応じて分類するステップと、
出力表示部が、該分類処理部に記憶された情報に基づき重複可能性の程度に応じた任意の分類群を出力表示するステップと、
を含むことを第３の特徴とし、
重複者情報を入力とする入力部と、該重複確定者の同定結果を記憶する同定結果記憶部と、該同定結果を基に重複者情報を同定する統合処理部とを有する重複結果反映部とから成る重複結果反映部を重複可能性者検出表示システムに設けた重複可能性者の検出表示方法において、前記重複可能性者記憶部に記憶した重複者情報から選択された重複確定者の重複者情報を入力部により入力とするステップと、該入力した重複確定者の個人番号を１対１に対応させる同定結果を同定結果記憶部に記憶するステップと、該同定結果記憶部に記憶した同定結果を基に重複確定者の重複者情報を統合処理部により同定するステップと、該同定した重複者情報を重複結果反映部により登録者情報データベースに反映するステップとを含むことを第３の特徴とする。
【００１３】
更に本発明は、２種以上の登録者情報データベースに格納されている個人情報を含む登録者情報を取得部により取得し、この取得した登録者情報の識別情報の表記を表記手法変換部により変換統一し、この変換統一した識別情報を基に重複者を重複者情報検出部により検出し、分類処理部が重複可能性の高低の度合いに応じた複数の重複可能性者記憶部に記憶し、出力表示部により表示する出力表示部とを備える検出表示装置を備える重複可能性者検出表示システムの検出表示プログラムにおいて、
前記取得部に、２種以上の登録者情報データベースに記憶した登録者情報の中から予め定めた登録者識別情報を取得する手順と、
前記識別情報記憶部に、該取得した識別情報を記憶する手順と、
前記表記手法変換部に、該識別情報記憶部に記憶した識別情報のうち、その識別情報を示す表記基準が統一されていない情報を予め定めた表記基準に変換する手順と、
前記重複者情報検出部に、該表記手法変換部により変換した識別情報のうち少なくとも一種類の識別情報が一致する登録者を重複者情報として検出する手順と、
前記重複者情報記憶部が、該重複者情報検出部により検出した重複者情報を記憶する手順と、
前記分類処理部に、該重複者情報記憶部に記憶した重複者情報を、該重複者情報に含まれる識別情報の一致もしくは不一致に基づいて重複可能性の高低の度合いに応じて分類する手順と、
出力表示部が、該分類処理部に記憶された情報に基づき重複可能性の程度に応じた任意の分類群を出力表示する手順と、
を実行させることを第５の特徴とし、
重複者情報を入力とする入力部と、該重複確定者の同定結果を記憶する同定結果記憶部と、該同定結果を基に重複者情報を同定する統合処理部とを有する重複結果反映部とから成る重複結果反映部を重複可能性者検出表示システムに設けた重複可能性者の検出表示プログラムであって、
入力部に、前記重複可能性者記憶部に記憶した重複者情報から選択された重複確定者の重複者情報を入力する手順と、
同定結果記憶部に、該入力した重複確定者の個人番号を１対１に対応させる同定結果を記憶する手順と、
統合処理部に、該同定結果記憶部に記憶した同定結果を基に重複確定者の重複者情報を基に同定する手順と、
重複結果反映部に、該同定した重複者情報を登録者情報データベースに反映する手順とを実行することを第６の特徴とする。
【発明の効果】
【００１４】
本発明によれば、登録者情報から取得した登録者の識別情報の表記基準が統一されていない情報の表記基準に変換し、該変換した識別情報の一部が少なくとも一致する登録者を重複者情報として検出し、この重複者情報を基に重複可能性の高低の度合いに応じて分類することによって、２種以上のデータベースに共通して存在する重複可能性者を検出することができる。また登録者識別情報の表記基準の差異を解消するため、表記基準の異なる登録者情報を収録しているデータベースであっても重複可能性者を検出することができる。しかも重複可能性者を検出する際、重複の可能性の度合いに応じて高重複可能性者と中重複可能性者と低重複可能性者など複数の区分に分類して出力表示するため、登録者情報の管理者が、真に同一人物であるかどうかを確定する作業の効率を高めることができる。また重複登録が確定した登録者については、前記データベースに収録されている登録者情報を統合する処理を行うため、迅速に確実に重複登録を防ぐことができる。
【発明を実施するための最良の形態】
【００１５】
以下、本発明の一実施形態による重複可能性者検出表示システムを、２つの自治体、例えばＡ市とＢ町が合併し、Ａ市が保有する登録者情報とＢ町が保有する登録者情報を統合する重複可能性者検出表示システムを例にとり、図面を参照して詳細に説明する。なお、本発明は下記の実施形態に限定されるものではない。
【００１６】
<構成の説明>
本実施形態による重複可能性者検出表示システムは、図１に示すように、Ａ市が保有する登録者情報を記憶した住民情報記憶部２０１（登録者情報データベース）及びＢ町が保有する登録者情報を記憶した課税情報等記憶部２０１（登録者情報データベース）を含む登録者情報記憶部２００にネットワーク３００を介して接続された重複可能性者検出表示装置１００及び該重複可能性者検出表示装置１００に接続された重複結果反映部１０１とから構成され、前記重複可能性者検出表示装置１００は、前記登録者情報記憶部２００から後述する情報を取得する取得部１１０と、該取得した情報の表記を統一する様に変換する表記手法変換部１２０と、該統一された情報から重複している可能性のある重複者を検出する重複者情報検出部１３０と、該検出した重複者を重複可能性のレベル（高低の度合い）に応じて分類する分類処理記憶部１４０と、該分類処理記憶部１４０により分類された情報を表示する出力表示部１５０と、前記各部で必要とする情報を記憶する記憶部１６とを備える。
【００１７】
前記取得部１１０は、Ａ市とＢ町の登録者情報を格納する登録者情報記憶部２００のうち、登録者の住民情報を格納する住民情報記憶部２０１からネットワーク３などを介してＡ市とＢ町の住民情報のうちの登録者識別情報（市町村区分、個人番号、氏名、カナ氏名、生年月日、住所情報）を取得して、記憶部１６に記憶する機能を有する。
【００１８】
前記表記手法変換部１２０は、登録者識別情報記憶部１６０に対して前記識別情報を照会し、前記識別情報を合併前の各市町が独自に入力した表記基準に依存しないように清音化、及び正規化する機能を有する。
ここで、前記清音化とは、例えば、濁点、半濁点がある場合はそれらを取り除き、拗音がある場合はそれをヤ行音と母音とに分けて表記することである。これは氏名等のカナ表記に複数の可能性がある場合、カナ表記を一つに統一するためのものである。例えば人名の「祥子」のカナ表記には「ショウコ」と「ショーコ」の二通りが考えられるが、清音化によりどちらも「ショオコ」となる。
【００１９】
ここで、正規化とは、例えば、市町村名から登録されており、都道府県名を含まない住所情報を、都道府県名を含む住所情報に変更することである。また住所の一部にあたる地番、例えば「１２３番1号」を変換して「１２３−１」と簡略化することも正規化の一例である。
【００２０】
前記重複者情報検出部１３０は、前記清音化及び正規化されたカナ氏名、又はカナ氏名のうち名が一致する登録者を重複可能性者として検出して、前記重複可能性者の登録者識別情報に同一の一連番号を付加した重複可能性者情報を重複可能性者１次記憶部１６１に格納する機能を有する。
【００２１】
前記分類処理記憶部１４０は、前記重複可能性者情報を照会し、前記重複可能性者の生年月日及び住所情報ともに一致する場合、前記重複可能性者を高重複可能性者に分類し、生年月日のみが一致する場合に中重複可能性者に分類し、生年月日及び住所情報のいずれも一致しない場合に低重複可能性者に分類する機能を有する。
【００２２】
前記記憶部１６は、前述の取得部１１０で取得した登録者識別情報を格納する登録者識別情報記憶部１６０と、重複者情報検出部１３０で検出した登録者識別情報を格納する重複可能性者１次記憶部１６１と、分類処理記憶部１４０で比較した結果により、重複可能性が高いと判断された情報を格納する高重複可能性者記憶部１６２と、重複可能性が中程度と判断された情報を格納する中重複可能性者記憶部１６３と、重複可能性が低いと判断された情報を格納する低重複可能性者記憶部１６４とから構成される。
【００２３】
前記重複可能性者１次記憶部１６１に記憶する重複可能性者情報は、図４に示す如く、Ａ市の個人番号「ＤＤＤＤ」を有する登録者とＢ町の個人番号「ＨＨＨＨ」を有する登録者とが互いに重複している可能性がある場合、一連番号３０１と、市町村区分３０２と、各市町村の個人番号３０３と、氏名３０４と、生年月日３０５と、清音化されたカナ氏名３０６と、清音化されたカナ名３０７と、清音化及び正規化された現住所３０８と、清音化及び正規化された従前住所３０９とから構成される。
【００２４】
なお、ここでは生年月日３０５を、重複可能性者を検出するための情報としては使用しない。なぜなら住民記憶以外の情報の場合、生年月日３０５を保有していないケースが想定されるためである。
【００２５】
前記高重複可能性者に分類した重複可能性者情報は、高重複可能性者記憶部１６２に記憶され、図６に示す如く、一連番号が一致する前記高重複可能性者同士に同一の同定先市町村５０４及び同定先個人番号５０５が付加される。ここで、前記情報を付加された重複可能性者情報のうち、市町村区分がＡ市である重複可能性者情報を同定先候補者情報とし、市町村区分がＢ市である重複可能性者情報を重複候補者情報としている。
【００２６】
前記高重複可能性者記憶部１６２に記憶する重複可能性者情報は、一連番号が一致する前記高重複可能性者同士、具体的にはＡ市の個人番号「ＤＤＤＤ」を有する登録者とＢ町の個人番号「ＨＨＨＨ」を有する登録者に同一の一連番号５０１が付加される。本例における重複候補者情報は、前記重複可能性者情報に加えて、同定先市町村５０４及び同定先個人番号５０５も付与されている。
【００２７】
前記中重複可能性者に分類した中重複可能性者情報は、中重複可能性者記憶部１６３に記憶され、図８に示す如く、一連番号が一致する前記中重複可能性者同士の重複可能性者情報に同一の同定先市町村７０４及び同定先個人番号７０５が付加される。
この中重複可能性者記憶部１６３に記憶される重複可能性者情報は、Ａ市の個人番号「ＤＤＤＤ」を有する登録者とＢ町の個人番号「ＨＨＨＨ」を有する登録者とが互いに同一の生年月日７０７を有する場合に、同一の一連番号７０１を付与し、同定先候補者情報と重複候補者情報とを格納する。即ち、中重複可能性者情報による同定先候補者情報及び前記重複候補者情報は、前記重複可能性者情報に加えて、同定先市町村７０４及び同定先個人番号７０５を含むように構成される。
【００２８】
即ち中重複可能性者記憶部１６３に記憶される重複可能性者情報は、前記情報を付加された重複可能性者情報のうち、市町村区分がＡ市である重複可能性者情報を同定先候補者情報とし、市町村区分がＢ市である重複可能性者情報を重複候補者情報としている。また、一連番号が一致する前記低重複可能性者同士の重複可能性者情報に同一の同定先市町村７０４と同定先個人番号７０５の情報を付加し、低重複可能性者記憶部１６４に格納する。ここで、前記情報を付加された重複可能性者情報のうち、市町村区分がＡ市である重複可能性者情報を同定先候補者情報とし、市町村区分がＢ市である重複可能性者情報を重複候補者情報としている。
【００２９】
前記出力表示部１５０は、前記の３つの記憶部（符号１６２〜１６４）に対して前記重複候補者情報及び前記同定先候補者情報を照会し、重複候補者を示す前記重複候補者情報を、同定先候補者を示す前記同定先候補者情報と共に前記記憶部１６２、前記記憶部１６３、前記記憶部１６４ごとに一覧表にして出力する機能を有する。
【００３０】
前記取得部１１０と、表記手法変換部１２０と、重複者情報検出部１３０と、分類処理記憶部１４０とはＣＰＵやメモリ等で構成され、出力表示部１５０は、キーボードやマウスやモニタ等で構成され、重複可能性者１次記憶部１６１と、高重複可能性者記憶部１６２と中重複可能性者記憶部１６３と低重複可能性者記憶部１６４とは、ハードディスク等で構成されても良い。
【００３１】
前記重複結果反映部１０１は、図１に示す如く、入力部１６６と統合処理部１７０と同定結果記憶部１６５と統合処理部１７０とから構成され、該入力部１６０が、記憶部１６から出力された重複候補者情報の中から選択された重複確定者に対して同定先候補者を同定先確定者とし、前記重複確定者の個人番号と前記同定先確定者の個人番号を１対１に対応させた同定結果を同定結果記憶部１６５に格納し、統合処理部１７０が、同定結果記憶部１６５に前記同定結果を照会して、前記同定結果を住民情報記憶部２０１へ出力し、住民情報記憶部２０１に含まれる住民情報のうち、前記重複確定者と同じ個人番号を有する住民情報について、前記個人番号を前記同定先確定者の個人番号に置き換えることにより前記重複確定者と前記同定先候補者の住民情報を一つに統合する、すなわち同定結果を住民情報記憶部に反映させる機能を有する。
【００３２】
尚、前述の統合処理部１７０はＣＰＵやメモリ等で構成され、入力部１６０はキーボードやマウスやモニタ等で構成され、同定結果記憶部１６５はハードディスク等で構成されても良い。
【００３３】
<動作の説明>
<重複可能性者検出表示動作>
次いで前述のように構成された重複可能性者検出表示システムによる重複可能性者の検出表示方法を説明する。
本実施形態による重複可能性者検出表示方法は、図２に示す如く、まず、重複可能性者検出表示装置１００の取得部１１０が住民情報記憶部２０１からネットワーク３などを介してＡ市とＢ町の登録者の住民情報のうちの登録者識別情報（市町村区分、個人番号、氏名、カナ氏名、カナ名、生年月日、住所情報）を取得して登録者識別情報記憶部１６０に記憶するステップＳ１０１と、該ステップＳ１０１により抽出乃至記憶した登録者識別情報の清音化及び正規化を実行し、カナ氏名又はカナ名の一致する登録者識別情報を重複可能性者情報として検出するステップＳ１０２とを実行する。
【００３４】
前記ステップＳ１０２は、図５に示す如く、重複可能性者検出表示装置１００の表記手法変換部１２０により登録者識別情報記憶部１６０から前記識別情報を予め定められた一定の規則に基づき読み出し、市町村の入力方法の差異／入力誤りによる不一致を排除するために行うために、前記識別情報のうちカナ氏名の清音化並びに住所情報を清音化及び正規化を行うステップ４０２と、重複者情報検出部１３０により清音化されたカナ氏名３０６又はカナ名３０７を登録者同士で比較するステップ４０３と、該ステップ４０３においてカナ氏名３０６又はカナ名３０７のどちらかが一致したと判定したとき、登録者同士を重複可能性者として一つのグループに分類し、前記グループ毎に、前記識別情報に同一の一連番号（一連番号３０１として１から昇順に整数の番号を付加）を付加するステップ４０４と、該一連番号３０１が付加された重複可能性者の登録者識別情報を重複可能性者情報として重複可能性者１次記憶部１６１に記憶するステップ４０５とを順次実行する。
【００３５】
次いで本システムは、図２に示す如く、生年月日の一致する重複可能性者情報を中重複可能性者記憶部１６３に記憶し、一致しない登録者情報を低重複可能性者記憶部１６４に記憶するステップ１０３を実行する。このステップ１０３は、図４に示した重複可能性者1次記憶部１６１に格納されている生年月日３０５の情報を元に、重複可能性者検出表示装置１００の分類処理記憶部１４０が実施する処理である。
【００３６】
このステップ１０３を詳述すると、本ステップは、分類処理記憶部１４０が、重複可能性者1次記憶部１６１に重複可能性者情報を照会し、重複可能性者情報の一連番号３０１が一致する重複可能性者同士の生年月日３０５を比較し、生年月日３０５が一致する場合は、前記重複可能性者情報同士に同一の同定先市町村７０４と同定先個人番号７０５の情報を付加して中重複可能性者記憶部１６３に格納する処理を実行する。尚、ここではＡ市の登録者を基準にしているため、同定先市町村７０４としてはＡ市を、同定先個人番号７０５としてはＡ市の個人番号を採用している。また、前記付加された重複可能性者情報のうち、市町村区分７０２がＡ市である重複可能性者情報を同定先候補者情報とし、市町村区分７０２がＢ市である重複可能性者情報を重複候補者情報としている。
【００３７】
また本ステップ１０３は、一連番号３０１が一致する重複可能性者同士の生年月日３０５がない場合は、前記重複候補者情報同士に同一の同定先市町村と同定先個人番号の情報を付加して低重複可能性者記憶部１６４に格納する処理を実行する。このときも、本システムは、同定先市町村７０４及び同定先個人番号の情報としてＡ市の情報を採用し、前記付加された重複可能性者情報のうち、市町村区分がＡ市である重複可能性者情報を同定先候補者情報とし、市町村区分がＢ市である重複可能性者情報を重複候補者情報とする。また、前記同定先候補者情報が示す登録者を同定先候補者とし、前記重複可能性者情報が示す登録者を重複候補者とする。
【００３８】
次いで本システムは、図１に戻り現住所の一致する重複可能性者情報を検出し、高重複可能性者記憶部１６２に格納すると共に、中又は低重複可能性者記憶部１６３又は１６４から該当の情報を削除するステップＳ１０４を実行する。
このステップＳ１０４の詳細動作は、図９に示す如く、スタート８０１及び繰り返しスタート８０２に続き、重複可能性者1次記憶部１６１に重複可能性者情報を照会し、重複可能性者情報の一連番号３０１が一致する重複可能性者情報を読み出すステップ８０３と、該読み出した一連番号３０１が一致する重複可能性者情報の現住所３０８が位置するか否かを比較するステップ８０４と、前記ステップ８０４によって現住所３０８が一致したと判定したとき、当該重複可能性者情報を高重複可能性者記憶部１６２に格納出力するステップ８０５と、当該高重複可能性者記憶部１６２にステップ１０３により格納出力した重複可能性者情報を中又は低重複可能性者記憶部１６３又は１６４から該当の情報を削除するステップ８０６と、前記前記ステップ８０４によって現住所３０８が一致したと判定したとき及び前記ステップ８０５に続いて重複可能性者情報がファイルの最終レコード（ＥＯＦ：ファイル末尾）か否かを判定し、ファイル末尾でないと判定したときに前記ステップ８０３に戻るステップ８０７と、該ステップ８０７においてファイル末尾と判定した特に繰り返し処理を終了するステップ８０８及びＥＮＤステップ８０９とを順次実行する。
【００３９】
尚、本例ではＡ市の登録者を基準にしているため、同定先市町村５０４としてはＡ市を、同定先個人番号５０５としてはＡ市の個人番号を採用している。また、前記付加された重複可能性者情報のうち、市町村区分５０２がＡ市である重複可能性者情報を同定先候補者情報とし、市町村区分５０２がＢ市である重複可能性者情報を重複候補者情報とする。また、前記同定先候補者情報が示す登録者を同定先候補者とし、前記重複可能性者情報が示す登録者を重複候補者としている。
【００４０】
次いで本システムは、図１に戻り住所の前後関係が一致する重複可能性者情報を検出し、高重複可能性者記憶部１６２に格納すると共に、中又は低重複可能性者記憶部１６３又は１６４から該当の情報を削除するステップＳ１０５を実行する。
このステップＳ１０５の詳細動作は、図１０に示す如く、まず、スタート９０１及び繰り返しスタート９０２に続き、重複可能性者1次記憶部１６１から住民記憶の登録履歴を元に一連番号毎に重複可能性者情報を読み出すステップ９０３と、該読み出した重複可能性者情報に含まれる住所情報（現住所、転入時の現住所、転出先住所、従前住所、本籍）が一致するか否かの判定を行うステップ９０４を実行する。このステップ９０４による住所情報（現住所、転入時の現住所、転出先住所、従前住所、本籍）の判定は、例えば図１１に示す組み合わせテーブルを用い、これらが１つでも位置する場合に高重複可能性者と判定するものである。この組み合わせテーブルは、例えば、Ａ市とＢ市の本籍地一致する組み合わせ１００１と、Ａ市の現住所とＢ市の提出先住所が一致するケース１００２と、Ａ市の従前住所とＢ市の提出先住所とが一致するケース１００３と、Ａ市への移転時の現住所とＢ市の転出先とが一致するケース１００４と、Ａ市の現住所とＢ市の従前住所とが一致するケース１００５が想定されるが、これに限られるものではない。
【００４１】
次いで本システムは、前記ステップ９０４において高重複可能性者と判定したとき、当該重複可能性者情報を高重複可能性者記憶部１６２に出力して格納するステップ９０６と、当該重複可能性者情報を中又は低重複可能性者記憶部１６３又は１６４から該当の情報を削除するステップ９０６と、前記前記ステップ９０４によって住所情報の一部が一致ないと判定したとき及び前記ステップ９０５に続いて重複可能性者情報がファイルの最終レコード（ＥＯＦ：ファイル末尾）か否かを判定し、ファイル末尾でないと判定したときに前記ステップ９０３に戻るステップ９０７と、該ステップ９０７においてファイル末尾と判定した特に繰り返し処理を終了するステップ９０８及びＥＮＤステップ９０９とを順次実行する。
【００４２】
尚、本例においてもＡ市の登録者を基準にしているため、同定先市町村５０４としてはＡ市を、同定先個人番号５０５としてはＡ市の個人番号を採用している。また、前記付加された重複可能性者情報のうち、市町村区分５０２がＡ市である重複可能性者情報を同定先候補者情報とし、市町村区分５０２がＢ市である重複可能性者情報を重複候補者情報とする。また、前記同定先候補者情報が示す登録者を同定先候補者とし、前記重複可能性者情報が示す登録者を重複候補者としている。
【００４３】
次いで本システムは、図１に戻り前述の各ステップ１０３乃至１０５によって各記憶部に記憶し秦重複候補者情報と同定先候補情報を出力するステップ１０６を実行して処理を終了する。
このステップ１０６は、出力表示部１５０が、高重複可能性者記憶部１６２／中重複可能性者記憶部１６３／低重複可能性者記憶部１６４に格納されている重複候補者情報及び同定先候補者情報を照会し、前記記憶部ごとに同じ一連番号を有する前記同定先候補者情報と前記同定先候補者情報をペアとして隣り合わせに並べてモニター画面上に出力する処理である。この結果、モニター画面には一つのペアのみならず、複数のペアを並べて表示することもでき、また、モニター画面上には現在出力されている情報がどの記憶部の情報であるかも示されており、情報の管理者が現在どの記憶部の情報が出力されているのか容易に知ることができるようになっている。
【００４４】
<重複結果の反映動作>
本実施形態による重複可能性者検出表示システムは、前述の重複者情報の検出表示に続いて重複結果反映部１０１が、前記重複結果を登録者情報記憶部２０２に反映する処理を実行する。
この処理は、図３に示す如く、入力部１６０が、重複確定者を示す重複確定者情報であって、前記モニター画面に表示された前記重複確定者情報に対して、同定先候補者情報を1対１に対応させた同定結果を同定結果記憶部１６５に格納するステップＳ１０７と、同定結果を住民情報に反映するステップＳ１０８を実行する。
【００４５】
前記ステップＳ１０８は、同定結果記憶部１６５に前記同定結果を照会して同定結果を住民情報記憶部２０１へ出力し、住民情報記憶部２０１に含まれる住民情報のうち、前記同定結果に含まれる個人番号を有する住民情報を検出し、検出された住民情報の個人番号を統合処理部１７０が前記同定結果に含まれる同定先個人番号に置き換える処理である。こうして同定結果を住民情報記憶部２０１に反映させることにより、住民情報の重複を解消することができる。
【００４６】
この様に本実施形態においては、前記同定結果を、登録者情報記憶部２００に含まれる他の登録者情報、例えば課税情報等記憶部２０２に含まれる課税情報に反映することもできる。但し、前記同定結果を反映させるためには、本実施形態の場合、前記課税情報は個人番号を含んでいなくてはならない。なお、課税情報とは、例えば住民税に関しては個人別の所得情報、軽自動車税においては軽自動車の所有者の情報であり、課税する税目毎の賦課方法（口座振替、納税通知書発行等）を含むこともできる。
【００４７】
前述した実施形態においては、取得部１１０が、住民情報を取得して、同定先個人番号としてＡ市の個人番号を採用する例を説明したが、取得部が課税情報を取得して、同定先個人番号として課税情報の存在有無や一定の条件をもつ登録者の個人番号を採用するとしても良い。例えば、税の納付を口座振替にて実施している登録者の個人番号としても良い。
【００４８】
また前述の実施形態においては、２つの自治体、例えばＡ市とＢ町が合併し、Ａ市が保有する登録者情報とＢ町が保有する登録者情報を統合する場合を説明したが、２つの自治体が合併する場合だけでなく、３つ以上の自治体が保有する登録者情報を統合する場合にも前記システム及び方法を用いることができる。また、自治体以外にも会社合併や業務提携等による顧客情報の統合、２以上の個人情報データベースの統合処理等に利用することができる。
【００４９】
また、前記実施形態においては、登録者情報の一例として住民情報を用いたが、登録者情報は例えば課税情報としても良い。ここで住民情報とは、住民記憶及び住民記憶以外の個人を登録した情報及び外国人の登録者情報を示しており、すなわち住民情報記憶部２０１は、Ａ市、Ｂ町の住民記憶及びその履歴、外国人登録された者の情報及びその履歴、また、Ａ市においてＡ市の住民では無い者の情報、Ｂ町においてＢ町の住民ではない者の情報を持つ。
【００５０】
更に、住民記憶には住所情報（現住所、従前の住所、転出先住所、本籍）が含まれていても良い。また、Ａ市においてＡ市の住民では無い者の情報とは、例えばＡ市に固定資産税を所有するＢ町住民で者の情報である。また、本実施形態ではＡ市の住民情報を基準として検出を行う。すなわち、一人の人物がＡ市の住民情報とＢ町の住民情報のどちらにも含まれている場合、Ｂ町の住民情報に含まれる前記人物の住民情報を重複候補者情報として検出し、Ａ市の住民情報に含まれる前記人物の住民情報を同定先候補者情報として検出することもできる。
【図面の簡単な説明】
【００５１】
【図１】重複可能性者検出表システムの構成を示すブロック図。
【図２】図１の重複可能性者検出表示装置１００の処理手順を示すフローチャート。
【図３】図１の重複結果反得手部１０１の処理手順を示すフローチャート。
【図４】重複可能性者１次記憶部１６１のデータ構造の例示図。
【図５】図２で示したステップＳ１０２の処理手順を示したフローチャート。
【図６】高重複可能性者記憶部１６２のデータ構造の例示図。
【図７】図２で示したステップＳ１０３の処理手順を示すフローチャート。
【図８】中重複可能性者記憶部１６３のデータ構造の例示図。
【図９】図２で示したステップＳ１０４の処理手順を示すフローチャート。
【図１０】図２で示したステップＳ１０５の処理手順を示すフローチャート。
【図１１】図７で比較する住所情報の比較内容の例示図。
【図１２】図３で示すステップＳ１０７の処理手順を示す処理フローチャート。
【符号の説明】
【００５２】
３：ネットワーク、１６：記憶部、１００：重複可能性者検出表示装置、１０１：重複結果反映部、１１０：取得部、１２０：表記手法変換部、１３０：重複者情報検出部、１４０：分類処理記憶部、１５０：出力表示部、１６０：登録者識別情報記憶部、１６６：入力部、１６１：重複可能性者１次記憶部、１６２：高重複可能性者記憶部、１６３：中重複可能性者記憶部、１６４：低重複可能性者記憶部、１６５：同定結果記憶部、１７０：統合処理部、２００：登録者情報記憶部、２０１：住民情報記憶部、２０２：課税情報等記憶部。
【図１】
2007206787.tif 000003
【図２】
2007206787.tif 000004
【図３】
2007206787.tif 000005
【図４】
2007206787.tif 000006
【図５】
2007206787.tif 000007
【図６】
2007206787.tif 000008
【図７】
2007206787.tif 000009
【図８】
2007206787.tif 000010
【図９】
2007206787.tif 000011
【図１０】
2007206787.tif 000012
【図１１】
2007206787.tif 000013
【図１２】
2007206787.tif 000014